(57)【要約】【課題】コントロールボックスを容易に所定の位置に設置することができるとともに、容易にコントロールボックスを所定の位置から取り外すことができる空気調和機の室外機を提供することを目的とする。【解決手段】室外機２は、内部に空間１０が形成された上部筐体と、空間１０の下方を規定する底板４と、空間１０内に配置されるコントロールボックス６と、底板４の上面４ａに固定されたレール部１５と、コントロールボックス６の下面に固定されたガイド部１６と、レール部１５から離間した位置で、底板４の端部から立ち上がるフランジ部５と、を備えている。フランジ部５の上縁には切欠き部２５Ｒ，２５Ｌが形成されていて、ガイド部１６は、レール部１５及び切欠き部２５Ｒ，２５Ｌに対して、前後方向と交差する方向への移動が規制された状態で前後方向に往復移動可能に係合可能とされている。【選択図】図１
2019027755.tif 000002
【特許請求の範囲】
【請求項１】
内部に空間が形成された上部筐体と、
前記空間の下方を規定する底面部と、
前記空間内に配置されるコントロールボックスと、
前記底面部の上面に固定された固定側部材と、
前記コントロールボックスの下面に固定された可動側部材と、
前記固定側部材から離間した位置で、前記底面部の端部から立ち上がるフランジ部と、を備え、
前記フランジ部の上縁には切欠き部が形成されていて、
前記可動側部材は、前記固定側部材及び前記切欠き部に対して、所定方向と交差する方向への移動が規制された状態で前記所定方向に往復移動可能に係合可能とされた空気調和機の室外機。
【請求項２】
前記可動側部材と前記固定側部材とが係合する係合位置と、前記可動側部材と前記切欠き部とが係合する係合位置とは、略同一の高さ位置とされている請求項１に記載の空気調和機の室外機。
【請求項３】
前記可動側部材は、前記コントロールボックスの前記下面から前記フランジ部側に突出するように、前記コントロールボックスの前記下面に固定されている請求項１または請求項２に記載の空気調和機の室外機。
【請求項４】
前記底面部の前記上面に固定され、該上面から上方に延びるフレーム部を備え、
前記コントロールボックスには、該コントロールボックスと前記フレーム部とを着脱可能に固定する固定部が設けられている請求項１から請求項３のいずれかに記載の空気調和機の室外機。
【請求項５】
前記フレーム部は、内部に冷媒が流通する冷却ブロックを有し、
前記上部筐体の外周面には、前記コントロールボックスと前記フレーム部とが固定された状態において前記冷却ブロックと接触する接触部が設けられ、
前記接触部の内周面側には、発熱部材が配置されている請求項４に記載の空気調和機の室外機。
【発明の詳細な説明】
【技術分野】
【０００１】
本発明は、空気調和機の室外機に関するものである。
【背景技術】
【０００２】
空気調和機の室外機の内部には、室外機内に設けられた各種装置の制御を行う制御装置等を収容したコントロールボックスが配置されている。近年、空気調和機の室外機の容量が大きくなっている。室外機の容量が増大化すると、コントロールボックス内に収容する内蔵物（制御装置等）が増加することとなり、内蔵物の増加に伴って、コントロールボックスの重量が増加する傾向にある。
【０００３】
コントロールボックスの重量が増加すると、コントロールボックスを室外機に取り付け時や、メンテナンス等のためにコントロールボックスを室外機から取り外す際の作業性が悪化する。
【０００４】
このような問題を解決するものに、特許文献１の空気調和機がある。特許文献１の空気調和機では、ユニット本体の電気品箱下面接触部に、レールを設けて、電気品箱がこのレールの上をスライドしてユニット本体へ着脱できる構造をしている。
【先行技術文献】
【特許文献】
【０００５】
【特許文献１】特開平５−１４１７１５号公報
【発明の概要】
【発明が解決しようとする課題】
【０００６】
ところで、室外機の底面の端部には、底面の強度を向上させる目的や、室外機内に設けられた装置から排出されるドレン水の流出を防止する目的で、上方に立ち上がるフランジ部を形成することがある。
上記特許文献１の空気調和機において、上述のフランジ部を設けた場合、レールとフランジ部とが干渉してしまうために、レールをユニット本体の端部まで設けることができない。したがって、ユニット本体に対して電気品箱を着脱し難くなる可能性がある。特に、電装品箱の重量が大きい場合には、着脱が難しくなる。また、電気品箱をユニット本体へ着脱する際に、フランジ部と電装品箱とが干渉する可能性があり、これにより、作業性を悪化させる可能性がある。
【０００７】
本発明は、このような事情に鑑みてなされたものであって、コントロールボックスを容易に所定の位置に設置することができるとともに、容易にコントロールボックスを所定の位置から取り外すことができる空気調和機の室外機を提供することを目的とする。
【課題を解決するための手段】
【０００８】
上記課題を解決するために、本発明の空気調和機の室外機は以下の手段を採用する。
本発明の一態様に係る空気調和機の室外機は、内部に空間が形成された上部筐体と、前記空間の下方を規定する底面部と、前記空間内に配置されるコントロールボックスと、前記底面部の上面に固定された固定側部材と、前記コントロールボックスの下面に固定された可動側部材と、前記固定側部材から離間した位置で、前記底面部の端部から立ち上がるフランジ部と、を備え、前記フランジ部の上縁には切欠き部が形成されていて、前記可動側部材は、前記固定側部材及び前記切欠き部に対して、所定方向と交差する方向への移動が規制された状態で前記所定方向に往復移動可能に係合可能とされている。
【０００９】
上記構成では、コントロールボックスに対して、底面部と平行する面の面内方向に荷重が作用すると、コントロールボックスが底面部の上面に沿って移動する。コントロールボックスの移動時において、可動側部材が、固定側部材及び切欠き部に対して所定方向と交差する方向への移動が規制された状態で所定方向に往復移動可能に係合するので、所定方向に対して傾斜する方向へのコントロールボックスの移動が抑制される。このため、コントロールボックスに作用する荷重が所定方向に集中するので、コントロールボックスを所定方向に移動させやすくすることができる。これにより、例えば、コントロールボックスの重量が大きい場合であっても、容易に移動させることができる。
また、上記構成では、可動側部材が底面部の端部に設けられたフランジ部に形成された切欠き部と係合可能となっている。これにより、可動側部材とフランジ部とが干渉することなく、可動側部材が底面部の端部まで移動することができる。したがって、底面部の端部にフランジ部を設けた場合であっても、可動側部材を底面部の端部（すなわち、筐体内の空間の端部）まで容易に移動させることができる。よって、コントロールボックスを可動部材に対して、容易に取付けまたは取り外しすることができる。
このように、コントロールボックスを容易に可動部材に着脱することができ、かつ、コントロールボックスを所定方向に容易に移動させることができる。したがって、フランジ部を設けた室外機であっても、容易にコントロールボックスを所定の位置に設置することができるとともに、容易にコントロールボックスを所定の位置から取り外すことができる。
【００１０】
また、切欠き部と固定側部材とが離間している。すなわち、可動側部材と係合する部材を、底面部の端部まで連続して設けていない。これにより、可動側部材と係合する部材を、底面部の端部まで連続して設けている構成と比較して、上部筐体の内部の空間において、レイアウトの自由度を高めることができる。
【００１１】
また、本発明の一態様に係る空気調和機の室外機は、前記可動側部材と前記固定側部材とが係合する係合位置と、前記可動側部材と前記切欠き部とが係合する係合位置とは、略同一の高さ位置とされていてもよい。
【００１２】
上記構成では、可動側部材と固定側部材とが係合する係合位置と、可動側部材と切欠き部とが係合する係合位置とが、略同一の高さ位置に設定されている。これにより、可動側部材が固定側部材から切欠き部へと移動する際に、上下方向の移動が行われない。したがって、より好適にコントロールボックスを所定方向に移動させやすくすることができる。
【００１３】
また、本発明の一態様に係る空気調和機の室外機は、前記可動側部材は、前記コントロールボックスの前記下面から前記フランジ部側に突出するように、前記コントロールボックスの前記下面に固定されていてもよい。
【００１４】
上記構成では、可動側部材は、コントロールボックスの下面からフランジ部側に突出するように、コントロールボックスの下面に固定されている。これにより、コントロールボックスがフランジ部に到達するよりも早く、可動側部材が切欠き部と係合する。したがって、確実に可動側部材と切欠き部とを係合させることができる。
【００１５】
また、本発明の一態様に係る空気調和機の室外機は、前記底面部の前記上面に固定され、該上面から上方に延びるフレーム部を備え、前記コントロールボックスには、該コントロールボックスと前記フレーム部とを着脱可能に固定する固定部が設けられていてもよい。
【００１６】
上記構成では、フレーム部とコントロールボックスとが固定されている場合には、コントロールボックスに荷重が入力すると、入力した荷重が、固定部を介してフレーム部に伝達し、さらには、フレーム部から底面部に伝達する。このように、コントロールボックスに荷重が入力した際に、入力した荷重を他の部材に分配することができるので、コントロールボックスの破損等を抑制することができる。また、コントロールボックスの破損等を抑制することができるので、コントロールボックスの上筐体部等を薄肉化することも可能となる。
なお、コントロールボックスとフレーム部とは、コントロールボックスの全体が空間内に位置している状態で固定されると好適である。
【００１７】
また、本発明の一態様に係る空気調和機の室外機は、前記フレーム部は、内部に冷媒が流通する冷却ブロックを有し、前記上部筐体の外周面には、前記コントロールボックスと前記フレーム部とが固定された状態において前記冷却ブロックと接触する接触部が設けられ、前記接触部の内周面側には、発熱部材が配置されていてもよい。
【００１８】
上記構成では、コントロールボックスとフレーム部とが固定された状態において、冷却ブロックの内部を流れる冷媒により接触部を介して発熱部材が冷却される。これにより、発熱部材が動作可能な温度よりも高温になることを防止することができる。
また、フレーム部とコントロールボックスとが固定されている場合には、フレーム部の振動が抑制される。これにより、冷却ブロックの内部に冷媒が流通する配管がある場合には、配管に作用する応力を低減することができる。
なお、発熱部材とは、例えば、室外機に設けられた圧縮機等を制御する際に用いられるパワー素子等である。
【発明の効果】
【００１９】
本発明によれば、コントロールボックスを容易に所定の位置に設置することができるとともに、容易にコントロールボックスを所定の位置から取り外すことができる
【図面の簡単な説明】
【００２０】
【図１】本発明の実施形態に係る空気調和機の室外機の部分斜視図であって、コントロールボックスが室外機に収容されている状態を示す図である。
【図２】図１に示すコントロールボックスをスライド移動させた状態を示す斜視図である。
【図３】図１に示す空気調和機の室外機を後方から見た斜視図である。
【図４】図３に示すコントロールボックスをスライド移動させた状態を示す斜視図である。
【図５】図１に示す空気調和機の室外機の要部を模式的に示した正面図である。
【図６】図１に示す空気調和機の室外機の要部を模式的に示した正面図である。
【図７Ａ】図１に示す空気調和機の室外機の要部断面図であって、可動側部材と切欠き部とが係合していない状態を示す図である。
【図７Ｂ】図１に示す空気調和機の室外機の要部断面図であって、可動側部材と切欠き部とが係合している状態を示す図である。
【図８Ａ】図１に示す空気調和機の室外機の要部側面図であって、コントロールボックスと冷却ブロックが接触している状態を示す図である。
【図８Ｂ】図１に示す空気調和機の室外機の要部側面図であって、コントロールボックスと冷却ブロックが離間している状態を示す図である。
【発明を実施するための形態】
【００２１】
以下に、本発明に係る空気調和機の室外機の一実施形態について、図面を参照して説明する。なお、図中のＦＲは室外機前方を、図中ＵＰは室外機上方を、図中ＩＮは左右方向の内側をそれぞれ示している。また、左右方向は、室外機前方を向いた状態での左右方向を意味する。
【００２２】
図１〜図４に示すように、本実施形態に係る空気調和機１の室外機２は、室外機２の外郭を構成し、内部に空間１０を形成する略直方体形状の筐体３を備えている。筐体３は、内部の空間１０の上方及び側方を規定する上部筐体（図示省略）と、該空間１０の下方を規定する底板（底面部）４と、底板４の外周端から立ち上がるフランジ部５とを有している。また、上部筐体は、該空間１０の前方を規定する前面パネル（図示省略）を含んでいる。この前面パネルは、一部または全部が、着脱可能もしくは、開閉可能に構成されている。筐体３の内部の空間１０には、圧縮機（図示省略）等の種々の室外側機器が収容設置されるとともに、空気調和機１を制御するための制御装置等が収納されたコントロールボックス６が収容設置されている。
【００２３】
底板４は、略長方形状の板状部材であって、室外側機器及びコントロールボックス６が収容設置される中央領域１１と、中央領域１１の外縁の全周から下方に凹む端部領域１２とを有する。すなわち、底板４は、中央領域１１が端部領域１２よりも高く位置するように形成されている。中央領域１１には、前後方向に沿って略平行に相対向して延びる左右一対の摺動部１３Ｒ、１３Ｌと、上下方向に沿って略平行に延びる左右一対のフレーム部１４Ｒ、１４Ｌとが設けられている。
【００２４】
左右の摺動部１３Ｒ、１３Ｌは、左右対称に構成されているため、以下では主に左側の摺動部１３Ｌについて説明し、右側についての説明は適宜省略する。摺動部１３Ｌは、底板４の上面４ａに固定されるレール部（固定側部材）１５と、コントロールボックス６の下面６ａに固定されるガイド部（可動側部材）１６とを有する。
【００２５】
レール部１５は、底板４に固定される左右の固定部１７Ｒ、１７Ｌと、固定部１７Ｒ、１７Ｌの内側の端部から略直角に上方に延びる左右の鉛直部１８Ｒ、１８Ｌと、左右の鉛直部１８Ｒ、１８Ｌの上端を連結して略水平に延びる水平部１９とを一体的に有し、前後方向に沿って直線状に延びている（図６参照）。レール部１５の前端は、中央領域１１の前端と略一致している。
ガイド部１６は、平板状であって前後方向に沿って直線状に延びている。ガイド部１６の上面が、コントロールボックス６の下面６ａに固定されている。また、ガイド部１６の前後方向の長さは、中央領域１１の前端からフランジ部５までの前後方向の長さよりも、長く設定されている。ガイド部１６の前後方向の長さは、コントロールボックス６の下面６ａの前後方向の長さと略一致していて、ガイド部１６の前端は、コントロールボックス６の下面６ａの前端と略一致している。
【００２６】
レール部１５とガイド部１６とは、図６に示すように、鉛直部１８Ｒ、１８Ｌと、ガイド部１６の側面とが接触するように配置されている。詳細には、摺動部１３Ｌでは右側の鉛直部１８Ｒとガイド部１６とが接触し、摺動部１３Ｒでは左側の鉛直部１８Ｌとガイド部１６とが接触する。また、ガイド部１６の上面は、レール部１５の上面と面一となるように配置されている。このように、ガイド部１６は、レール部１５に対して、前後方向と交差する方向への移動が規制された状態で前後方向に摺動可能に係合している。
【００２７】
図１〜図４に示すように、フレーム部１４Ｒ、１４Ｌは、各々、底板４の上面４ａに固定される固定部２０と、固定部２０から上方に延びる垂直部２１とを有する。フレーム部１４Ｒの垂直部２１と、フレーム部１４Ｌの垂直部２１とは、上下方向の略中央において、冷却ブロック設置部２２によって連結されている。冷却ブロック設置部２２は板状の部材であって、その前面には所定の位置に冷却ブロック２３が設けられている。
冷却ブロック２３は、内部に冷媒が流通する冷媒配管２４を有し、当該冷媒配管２４がアルミブロックである伝熱部材２８の内部に挿入して設けられている（図８Ａ及び図８Ｂ参照）。
【００２８】
フランジ部５は、底板４の端部領域１２の外端から上方に延びる板状部材であって、該端部領域１２の略全周を囲うように形成されている。すなわち、フランジ部５は、長方形状の開口を有する枠体であって、中央領域１１に設けられたレール部１５とは所定距離離間して位置している。フランジ部５の上縁は、底板４の中央領域１１よりも高く位置していて、レール部１５の上端と略同一の高さ位置となるように形成されている。また、フランジ部５の前枠部分には、上縁から略鉛直に下方に延びるように２つの切欠き部２５（２５Ｒ、２５Ｌ）が形成されている。なお、底板４とフランジ部５とは、一枚の板を曲折加工等して一体に形成してもよい。また、底板４とフランジ部５とを別々に形成し、溶接等で接合してもよい。
【００２９】
２つの切欠き部２５Ｒ、２５Ｌは、それぞれ、左右の摺動部１３Ｒ、１３Ｌに対応する位置に形成される。左右の切欠き部２５Ｒ、２５Ｌは、略同一に構成されているため、以下では主に左側の切欠き部２５Ｌについて説明し、右側についての説明は適宜省略する。
切欠き部２５Ｌは、図５に示すように、フランジ部５の上縁から略鉛直下方に延びる左右の側縁部２６Ｒ、２６Ｌと、各側縁部２６Ｒ、２６Ｌの下端を接続するように略水平方向に延びる下縁部２７とを有する。各側縁部２６Ｒ、２６Ｌの上下方向の長さは、ガイド部１６の上下方向の長さと略同一であり、下縁部２７の左右方向の長さは、ガイド部１６の左右方向の長さよりも僅かに長くなるように形成されている。
切欠き部２５Ｌは、ガイド部１６がレール部１５と係合した状態で摺動した際に、ガイド部１６が挿通する位置に形成される。すなわち、ガイド部１６とレール部１５との係合する位置と、ガイド部１６と切欠き部２５との係合する位置とは、略同一の高さ位置とされている。また、下縁部２７の高さ位置は、ガイド部１６の下面の高さ位置と略同一となるように形成されている。
【００３０】
コントロールボックス６は、空気調和機１の運転を制御する各種制御装置や電気回路装置３０等の電気部品を収納する。図３及び図４に示すように、コントロールボックス６の後壁の一部には、コントロールボックス６の内部の空間１０と、コントロールボックス６の外側の空間とを連通する開口３１が形成されている。この開口３１は、図８Ａ及び図８Ｂに示すように、アルミブロックからなる伝熱板（接触部）２９によって、外側から覆われている。伝熱板２９の前面（すなわち、コントロールボックス６の内側に当たる面）には、電気回路装置３０が固定されている。電気回路装置３０は、パワー素子（発熱部材）３２が基板３３に接続されて構成されている。基板３３は、伝熱板２９に対してスペーサ３４を介してネジ３５により着脱可能に取り付けられている。パワー素子３２は、伝熱板２９に対して伝熱シート３６を介してネジ３７によって着脱可能に取り付けられている。
また、図３及び図４に示すように、コントロールボックス６の後面には、後方に突出する複数の固定部３８が設けられている。固定部３８は、ボルト等によって、コントロールボックス６を着脱可能にフレーム部１４Ｒ、１４Ｌに固定する。
また、図１〜図４に示すように、コントロールボックス６の下面６ａには、前後方向の略全域に亘って、摺動部１３Ｒ、１３Ｌをそれぞれ構成する２つのガイド部１６が固定されている。すなわち、ガイド部１６の上面は、レール部１５の上面と面一となるように配置されているので、コントロールボックス６は、レール部１５の上に載置される。
【００３１】
次に、本実施形態のコントロールボックス６の動きについて説明する。
コントロールボックス６の動きの一例として、コントロールボックス６内に配置された各種機器のメンテナンス時について説明する。
コントロールボックス６は、空気調和機１の通常運転時には、図１、図３、図７Ａ及び図８Ａに示すように、室外機２の内部の空間１０に全体が収納され、固定部３８等を介してフレーム部１４Ｒ、１４Ｌに固定されている。このとき、図８Ａに示すように、コントロールボックス６の後壁に設けられた伝熱板２９の後面が、冷却ブロック２３の前面と接触している。
【００３２】
コントロールボックス６内に配置された各種機器をメンテナンスのために、コントロールボックス６を室外機２の内部の空間１０から取り出す際には、まず、室外機２の上部筐体の前面パネルが外される。次に、コントロールボックス６とフレーム部１４Ｒ、１４Ｌとを固定するボルト等を外し、コントロールボックス６とフレーム部１４Ｒ、１４Ｌとの固定を解除する。
【００３３】
次に、コントロールボックス６を室外機２の内部の空間１０から取り出すために、コントロールボックス６を前方に移動させる。コントロールボックス６が前進すると、ガイド部１６がレール部１５に沿って前方へ移動する。この時、コントロールボックス６に前後方向と交差する方向への押圧力が作用しても、図６に示すように、ガイド部１６の側面がレール部１５の鉛直部１８Ｒ、１８Ｌに当接することによってガイド部１６の移動方向が前後方向に規制される。すなわち、レール部１５とガイド部１６との係合によって、コントロールボックス６の移動が前後方向に規制（前方へ直線的に案内）される。
【００３４】
さらに、コントロールボックス６を前進させると、ガイド部１６の前端が、レール部１５の前端から前方に突出することとなり、レール部１５との係合が解消される。しかしながら、レール部１５の前端以外の部分は、レール部１５と係合した状態が保たれているので、コントロールボックス６の移動は前後方向に規制されたままとなる。
【００３５】
さらに、その状態からコントロールボックス６を前進させると、図２、図４及び図７Ｂに示すように、レール部１５とガイド部１６との係合が維持された状態で、ガイド部１６が切欠き部２５に挿通する。ガイド部１６が切欠き部２５に挿通した状態で、コントロールボックス６に前後方向と交差する方向への押圧力が作用しても、レール部１５とガイド部１６との係合によって、コントロールボックス６の移動が前後方向に規制（前方へ直線的に案内）されるとともに、切欠き部２５とガイド部１６との係合によってもコントロールボックス６の移動が前後方向に規制（前方へ直線的に案内）される。すなわち、コントロールボックス６に前後方向と交差する方向への押圧力が作用しても、ガイド部１６の側面が切欠き部２５の側縁部２６Ｒ、２６Ｌに当接することによっても、ガイド部１６の移動方向が前後方向に規制される。
【００３６】
レール部１５の前端部とガイド部１６の後端部とが係合した状態となると、コントロールボックス６の前進を止める。この状態では、コントロールボックス６の前部の大部分が室外機２の内部の空間１０の外に位置している。そして、コントロールボックス６内に配置された各種機器のメンテナンスを行う。なお、レール部１５の前端部とガイド部１６の後端部とが係合した状態となるとそれ以上コントロールボックス６が前進しないように、レール部１５等にストッパー等を設けてもよい。
【００３７】
メンテナンスが終了すると、上記手順と逆の手順によってコントロールボックス６を後進させ、室外機２の内部の空間１０内に収納し、フレーム部１４Ｒ、１４Ｌに固定する。コントロールボックス６の後進の際も、ガイド部１６とレール部１５及び切欠き部２５との係合によって、コントロールボックス６の移動が前後方向に規制（後方へ直線的に案内）される。なお、コントロールボックス６を室外機２に取り付け設置する際にも、このような手順で取り付けられる。
【００３８】
本実施形態によれば、以下の作用効果を奏する。
本実施形態では、ガイド部１６とレール部１５及び切欠き部２５との係合によって、コントロールボックス６の移動が前後方向に規制される。このため、コントロールボックス６に作用する荷重が前後方向に集中するので、コントロールボックス６を前後方向に移動させやすくすることができる。これにより、例えば、コントロールボックス６の重量が大きい場合であっても、容易に移動させることができる。
また、本実施形態では、底板４にフランジ部５を形成している。これにより、底板４の剛性を向上させるとともに、室外機２内に設けられた各種機器から排出されるドレン水の流出を防止することができる。また、本実施形態では、ガイド部１６が底板４の端部に設けられたフランジ部５に形成された切欠き部２５と係合可能となっている。これにより、ガイド部１６とフランジ部５とが干渉することなく、ガイド部１６が底板４の端部まで移動することができる。したがって、底板４の端部にフランジ部５を設けた場合であっても、ガイド部１６を底板４の端部（すなわち、筐体３内の空間１０の端部）まで容易に移動させることができる。よって、コントロールボックス６をガイド部１６に対して、容易に取付けまたは取り外しすることができる。
このように、コントロールボックス６を容易にガイド部１６に対して取付けまたは取り外しすることができ、かつ、コントロールボックス６を前後方向に容易に移動させることができる。したがって、フランジ部５を設けた室外機２であっても、容易にコントロールボックス６を所定の位置に設置することができるとともに、容易にコントロールボックス６を所定の位置から取り外すことができる。また、コントロールボックス６のメンテナンス時の作業性を向上させることができる。
【００３９】
また、切欠き部２５とレール部１５とが離間している。すなわち、ガイド部１６と係合する部材を、底板４の端部まで連続して設けていない。これにより、ガイド部１６と係合する部材を、底板４の端部まで連続して設けている構成と比較して、内部の空間１０において、レイアウトの自由度を高めることができる。
【００４０】
また、ガイド部１６とレール部１５とが係合する位置と、ガイド部１６と切欠き部２５とが係合する位置とが、略同一の高さ位置に設定されている。これにより、ガイド部１６が、レール部１５から切欠き部２５へと移動する際に、上下方向の移動が行われない。したがって、より好適にコントロールボックス６を前後方向に移動させやすくすることができる。
【００４１】
また、空気調和機１の通常運転時には、フレーム部１４Ｒ、１４Ｌとコントロールボックス６とが固定されている。この固定時において、コントロールボックス６に荷重が入力すると、入力した荷重が、固定部３８を介してフレーム部１４Ｒ、１４Ｌに伝達し、さらには、フレーム部１４Ｒ、１４Ｌから底板４に伝達する。このように、コントロールボックス６に荷重が入力した際に、入力した荷重を他の部材に分配することができるので、コントロールボックス６の破損等を抑制することができる。また、コントロールボックス６の破損等を抑制することができるので、コントロールボックス６の筐体３等を薄肉化することも可能となる。
【００４２】
また、コントロールボックス６とフレーム部１４Ｒ、１４Ｌとが固定された状態では、冷却ブロック２３と伝熱板２９とが接触しているので、冷却ブロック２３の内部を流れる冷媒により伝熱板２９を介してパワー素子３２が冷却される。これにより、パワー素子３２が動作可能な温度よりも高温になることを防止することができる。
また、フレーム部１４Ｒ、１４Ｌとコントロールボックス６とが固定されている場合には、フレーム部１４Ｒ、１４Ｌの振動が抑制される。これにより、冷却ブロック２３の内部に配置された冷媒が流通する冷媒配管２４に作用する応力を低減することができる。
【００４３】
なお、本発明は、上記実施形態にかかる発明に限定されるものではなく、その要旨を逸脱しない範囲において、適宜変形が可能である。
例えば、上記実施形態では、ガイド部１６の前後方向の長さが、コントロールボックス６の下面６ａの前後方向の長さと略一致していて、ガイド部１６の前端が、コントロールボックス６の下面６ａの前端と略一致している例について説明したが、ガイド部１６の前後方向の長さ及び設置態様はこれに限定されない。ガイド部１６の前後方向の長さをコントロールボックス６の下面６ａの前後方向の長さよりも長くして、ガイド部１６の前端がコントロールボックス６の下面６ａの前端から前方に突出するように設けてもよい。
このようにすることで、コントロールボックス６がフランジ部５に到達するよりも早く、ガイド部１６が切欠き部２５と係合する。したがって、確実にガイド部１６と切欠き部２５とを係合させることができる。
【００４４】
また、本実施形態では、摺動部１３Ｌでは右側の鉛直部１８Ｒとガイド部１６とが接触し、摺動部１３Ｒでは左側の鉛直部１８Ｌとガイド部１６とが接触することで、ガイド部１６とレール部１５とが係合する例について説明したが、ガイド部１６とレール部１５との係合態様はこれに限定されない。ガイド部１６とレール部１５とは、前後方向と交差する方向への移動が規制された状態で前後方向に摺動可能に係合すればよく、例えば、摺動部１３Ｌでは左側の鉛直部１８Ｌとガイド部１６とが接触し、摺動部１３Ｒでは右側の鉛直部１８Ｒとガイド部１６とが接触することで、ガイド部１６とレール部１５とが係合してもよい。
【符号の説明】
【００４５】
１      空気調和機
２      室外機
３      筐体
４      底板（底面部）
５      フランジ部
６      コントロールボックス
１４Ｒ、１４Ｌ    フレーム部
１５    レール部（固定側部材）
１６    ガイド部（可動側部材）
２３    冷却ブロック
２５    切欠き部
２８    伝熱部材（接触部）
３０    電気回路装置
３２    パワー素子（発熱部材）
【図１】
2019027755.tif 000003
【図２】
2019027755.tif 000004
【図３】
2019027755.tif 000005
【図４】
2019027755.tif 000006
【図５】
2019027755.tif 000007
【図６】
2019027755.tif 000008
【図７Ａ】
2019027755.tif 000009
【図７Ｂ】
2019027755.tif 000010
【図８Ａ】
2019027755.tif 000011
【図８Ｂ】
2019027755.tif 000012